(57)【特許請求の範囲】
【請求項１】
ビデオカメラ装置や電子スチルカメラなどのカメラ装置に用いられ、複数の表示手段にオンスクリーン表示を行うオンスクリーン表示装置において、
前記複数の表示手段のうちの１つを選択してこの選択された表示手段にオンスクリーン表示を行わせる表示選択手段と、
前記表示選択手段が選択した表示手段の表示特性に応じてカラー表示の色調またはモノクロ表示の階調を選んでオンスクリーン表示の画像を作成し前記選択された表示手段に出力するオンスクリーン表示回路と
を具備することを特徴とするオンスクリーン表示装置。
【請求項２】
前記オンスクリーン表示回路は前記表示選択手段が選択した表示手段の表示特性によってはカーソルをアンダーラインで表示することを特徴とする請求項１に記載のオンスクリーン表示装置。
【請求項３】
ビデオカメラ装置や電子スチルカメラなどのカメラ装置に用いられ、複数の表示手段にオンスクリーン表示を行うオンスクリーン表示装置において、
前記複数の表示手段のうちの特定の表示手段の表示特性に応じてカラー表示の色調を選んで作成したオンスクリーン表示の画像を出力するオンスクリーン表示回路と、
前記オンスクリーン表示回路が前記特定の表示手段の表示特性に応じて作成したオンスクリーン表示の画像を前記特定の表示手段以外の対象となる表示手段の表示特性に応じたカラー表示の色調またはモノクロ表示の階調に変換して前記対象となる表示手段に出力する変換テーブル手段と
を具備することを特徴とするオンスクリーン表示装置。
【請求項４】
前記複数の表示手段は前記カメラ装置に内蔵のＬＣＤパネルディスプレイとビューファインダであることを特徴とする請求項１または請求項２に記載のオンスクリーン表示装置。
【請求項５】
前記複数の表示手段は前記カメラ装置に内蔵の表示手段と前記カメラ装置に接続される外部表示手段であることを特徴とする請求項１または請求項２に記載のオンスクリーン表示装置。
【発明の詳細な説明】
【０００１】
【発明の属する技術分野】
本発明は、オンスクリーン表示装置に関し、特にビデオカメラ装置や電子スチルカメラなどに用いられ、モノクロ表示のビューファインダとカラー表示のＬＣＤパネルと外部表示装置などの複数表示手段に対してオンスクリーン表示を行う機能を備えたオンスクリーン表示装置に関する。
【０００２】
【従来の技術】
ビデオカメラ装置や電子スチルカメラなどでは、表示装置としてビューファインダとＬＣＤパネルの両方が用いられているものがある。このような場合、ＬＣＤパネルはカラー表示であり、ビューファインダの表示はモノクロであり、ビューファインダではＬＣＤパネル用のカラー画像の輝度成分を表示するという場合が多かった。
【０００３】
このようなカラーデータから階調データへの変換処理においては、明るさを感ずる感度が青、赤、緑の順に高くなるという人間の色に対する視覚的な特性が考慮されていない。このため、人間の目にはＬＣＤパネルのカラー表示の色調とビューファインダのモノクロの階調とが異なって見えることがある。
【０００４】
このような問題は、ことにメニュー表示等に用いられるオンスクリーン表示の場合、カラー表示のＬＣＤパネルでは多色を用いたメニュー表示が判別しやすいが、これをそのままモノクロのビューファインダで見ると階調の区別が定かでなく、殊に色を変えたり色を重ねてカーソルで選択されている場所を表示している部分が区別しずらいという問題があった。
【０００５】
また、ＬＣＤパネルとビューファインダが共にカラー表示である場合には、ＬＣＤパネルの解像度（ドット数）がビューファインダに比べて低い場合、カラーを使用すると文字の解像度が低くなり、ＬＣＤパネル上で文字が読みずらくなることがあった。
【０００６】
さらに、ビデオカメラ装置や電子スチルカメラが外部の表示装置に接続される外部端子を有している場合には、外部の表示装置のカラー表示の色調がＬＣＤパネルのカラー表示の色調とも異なる場合があり、この場合もＬＣＤパネルでのメニュー表示を外部の表示装置用の表示に変換するか、外部の表示装置に適した表示を行う必要がある。
【０００７】
【発明が解決しようとする課題】
上述のごとく、従来のビューファインダとＬＣＤパネルの両方を具備しているビデオカメラ装置や電子スチルカメラのオンスクリーン表示装置においてメニュー画面等を表示する場合、両者の表示方法がモノクロ表示とカラー表示と異なっていたり、解像度が異なったりした場合に、一方の表示をそのまま他方に適用した場合には表示が見づらかったり、文字が読みづらくなったりするという問題があった。さらにビデオカメラ装置や電子スチルカメラが外部端子を有していて外部の表示装置にも出力する場合、やはりＬＣＤパネルのカラー表示と外部の表示装置のカラー表示との間に色調の差があるとＬＣＤパネルの表示をそのまま適用することはできなかった。
【０００８】
本発明はこの点を解決して、複数の表示装置の中から特定のいずれか１つの表示装置が選択されて表示される場合、あるいは複数の表示装置が表示される場合に、比較的簡単な方法で、それぞれの表示装置でのカーソルの選択位置や文字表示などが識別しやすいオンスクリーン表示装置の実現を課題とする。
【０００９】
【課題を解決するための手段】
上記課題を達成するため、本発明は、ビデオカメラ装置や電子スチルカメラなどのカメラ装置に用いられ、複数の表示手段にオンスクリーン表示を行うオンスクリーン表示装置において、前記複数の表示手段のうちの１つを選択してこの選択された表示手段にオンスクリーン表示を行わせる表示選択手段と、前記表示選択手段が選択した表示手段の表示特性に応じてカラー表示の色調またはモノクロ表示の階調を選んでオンスクリーン表示の画像を作成し前記選択された表示手段に出力するオンスクリーン表示回路とを具備することを特徴とする。
【００１０】
また、ビデオカメラ装置や電子スチルカメラなどのカメラ装置に用いられ、複数の表示手段にオンスクリーン表示を行うオンスクリーン表示装置において、前記複数の表示手段のうちの特定の表示手段の表示特性に応じてカラー表示の色調を選んで作成したオンスクリーン表示の画像を出力するオンスクリーン表示回路と、前記オンスクリーン表示回路が前記特定の表示手段の表示特性に応じて作成したオンスクリーン表示の画像を前記特定の表示手段以外の対象となる表示手段の表示特性に応じたカラー表示の色調またはモノクロ表示の階調に変換して前記対象となる表示手段に出力する変換テーブル手段とを具備することを特徴とする。
【００１１】
【発明の実施の形態】
以下、本発明にかかる表示装置を添付図面を参照にして詳細に説明する。
図１は、本発明の一実施の形態のビデオカメラ装置や電子スチルカメラ装置に用いられるオンスクリーン表示装置の回路ブロック図である。また図２には本発明が適用されるビデオカメラ装置の外観図を示した。
図１において、１はメニュー画面の表示を制御するマイコン、２はオンスクリーン表示ＩＣ、３はＬＣＤパネル、４はビューファインダ、５は映像信号とメニュー画面との切り替えスイッチ、６は表示選択スイッチである。
【００１２】
オンスクリーン表示ＩＣ２は、文字フォントを内蔵していて、外部から（この場合はマイコン１から）指定された文字や記号を決められたタイミングで画面上の位置や大きさを変えて、ブルーバックの画面上にあるいはビデオ信号上にスーパインポーズすることができる機能を持つＩＣである。
また、表示選択スイッチ６は、実際には装置の操作によってＯＮ・ＯＦＦされるスイッチである。この表示選択スイッチ６は、例えば、図２に示すビデオカメラ装置で、ＬＣＤパネル３が開いていないときはビューファインダ４のみに表示させ、ＬＣＤパネル３が図２に示したように開いている場合はＬＣＤパネル３のみに表示させる切り替えをマイコン１に行わせる機能を持っている。
【００１３】
この回路の動作を説明する。マイコン１は、表示選択スイッチ６の状態を読取り、ＬＣＤパネル３が選択されている場合は、オンスクリーン表示ＩＣ２に対してカラー表示をするように制御を行うとともに、ＬＣＤパネル３の表示許可信号を許可し、ビューファインダ４の表示許可信号を禁止する。
逆に、ビューファインダ４が選択されている場合は、オンスクリーン表示ＩＣ２に対してモノクロでも判別しやすい表示を行うように制御を行うとともに、ＬＣＤパネル３の表示許可信号を禁止し、ビューファインダ４の表示許可信号を許可する。ここでのべたモノクロでも判別しやすい表示とは、例えば、隣接した色の輝度差が大きい配色で表示した画面である。
【００１４】
このようにすると、ＬＣＤパネル３で観測している場合には、カラーのオンスクリーン表示でメニュー画面が表示され、ビューファインダ４で観測している場合は、判別しやすいモノクロのオンスクリーン表示でメニュー画面が表示されることになる。また、モノクロ表示の場合では、カーソル表示を配色を変えるなどの方法で表さないで、該当箇所にアンダーラインを引いて示すなどの方法を採っても良い。
【００１５】
図３は、本発明の他の実施の形態のオンスクリーン表示装置の回路ブロック図である。
図３において、１はメニュー画面の表示を制御するマイコン、２はオンスクリーン表示ＩＣ、３はＬＣＤパネル、４はビューファインダ、５−１および５−２は映像信号とメニュー画面との切り替えスイッチ、７はカラー変換テーブルである。
【００１６】
この図３のブロック図では、ＬＣＤパネル３とビューファインダ４の両方が表示されている場合を示している。マイコン１はオンスクリーン表示ＩＣ２をカラーのオンスクリーン表示でメニュー画面を表示するように制御している。このオンスクリーン表示ＩＣ２からの出力は直接ＬＣＤパネル３に入力されるとともにカラー変換テーブル７に入力される。カラー変換テーブル（カラー・パレット）７では隣接した色の輝度差が大きく変換されるようにカラーデータから階調データを作成する。この場合、オンスクリーン表示ＩＣ２からの出力される画面があらかじめ予想される範囲にあるので、これに応じた変換テーブルも容易に構成することができる。
これにより、ＬＣＤパネル３とビューファインダ４の両方が表示される場合でも、ビューファインダ４の表示を見易くすることができる。
【００１７】
図４は、本発明のさらに他の実施の形態の表示装置の回路ブロック図である。この実施の形態では装置にライン出力端子９が設けられており、この端子に外部表示装置８が接続される場合を表している。
図４において、１はメニュー画面の表示を制御するマイコン、２はオンスクリーン表示ＩＣ、３は本体表示装置、８は外部表示装置、９はライン出力端子、１０はライン出力端子９にジャックが接続されるとオンされる表示選択スイッチである。本体表示装置３はＬＣＤパネルかビューファインダのいずれかが選択されているのを代表して、あるいは両者が選択されているものを表している。
この回路では、外部表示装置８が接続されると、この本体表示装置３がＯＦＦされる構成になっている。
【００１８】
この回路の動作を説明する。マイコン１は、表示選択スイッチ１０の状態を読取り、出力端子コネクタ９に外部表示装置８のジャックが挿入されオンされた場合は、オンスクリーン表示ＩＣ２に対して外部表示装置８に適したカラー表示を行わせるように制御を行うとともに、本体表示装置３の表示許可信号を禁止する。
逆に、出力端子コネクタ９から外部表示装置８のジャックが外され、表示選択スイッチ１０がＯＦＦの場合は、オンスクリーン表示ＩＣ２に対して本体表示装置３に適したカラー表示を行わせるように制御を行うとともに、本体表示装置３の表示許可信号を許可にする。
【００１９】
このようにすると、外部表示装置８が選択されている場合と、本体表示装置３が選択されている場合とで表示色の色調をそれぞれの表示装置に適したように変えることができる。また、本体表示装置３が選択された場合に、カーソル表示をアンダーラインを引いて示すなどの方法を採っても良い。
【００２０】
図５は、本発明のさらに他の実施の形態の表示装置の回路ブロック図である。この実施の形態は装置にライン出力端子が設けられており、この端子に外部表示装置８が接続され、外部表示装置８と本体表示装置３がともに表示される場合を表している。
図５において、１はメニュー画面の表示を制御するマイコン、２はオンスクリーン表示ＩＣ、３は本体表示装置、５−１および５−２は映像信号とメニュー画面との切り替えスイッチ、７はカラー変換テーブル、８は外部表示装置、９はライン出力端子、１０はライン出力端子９にジャックが接続されるとオンされる表示選択スイッチである。
【００２１】
この回路の動作を説明する。マイコン１は、表示選択スイッチ１０の状態を読取り、出力端子コネクタ９に外部表示装置８のジャックが挿入されオンされた場合は、カラー変換テーブル７に対して変換許可信号を出力する。カラー変換テーブル７はこの変換許可信号を受けて変換を行い、オンスクリーン表示ＩＣ２からの信号を外部表示装置８に適したカラー表示に変換する。
【００２２】
これにより、外部表示装置８と本体表示装置３とで表示色の色調をそれぞれの表示装置に適したように変えることができ、それぞれの表示装置に応じた見やすい表示を行うことが可能になる。
【００２３】
以上の説明では、本発明をビデオカメラ装置や電子スチルカメラ装置等を対象にした場合で説明したが、本体と接続分離が可能な携帯型のポータブルコンピュータやＰＯＳ装置など、複数の表示装置にオンスクリーン表示画像を出力するあらゆる装置に用いることが可能なことはいうまでもない。
【００２４】
【発明の効果】
以上説明したように本発明の請求項１の発明は、ビデオカメラ装置や電子スチルカメラなどのカメラ装置に用いられ、複数の表示手段にオンスクリーン表示を行うオンスクリーン表示装置において、複数の表示手段のうちの１つを選択してこの選択された表示手段にオンスクリーン表示を行わせる表示選択手段と、表示選択手段が選択した表示手段の表示特性に応じてカラー表示の色調またはモノクロ表示の階調を選んで作成したオンスクリーン表示の画像を選択された表示手段に出力するオンスクリーン表示回路とを設けた。
これにより、複数の表示装置の中から特定のいずれか１つの表示装置が選択されて表示される場合に、選択された表示装置に適したオンスクリーン表示を形成して出力することができるので、それぞれの表示装置がカラー表示であるかモノクロ表示であるかを問わず、常に表示されたカーソルの選択位置や文字や記号の識別が容易なオンスクリーン表示装置を実現することができる。
【００２５】
本発明の請求項２の発明は、オンスクリーン表示回路は表示選択手段が選択した表示手段の表示特性によってはカーソルをアンダーラインで表示することを特徴とする。
これにより、表示装置がモノクロ表示で色による識別がしずらい場合に、カーソルを容易に判別させることができる。
【００２６】
本発明の請求項３の発明は、ビデオカメラ装置や電子スチルカメラなどのカメラ装置に用いられ、複数の表示手段にオンスクリーン表示を行うオンスクリーン表示装置において、複数の表示手段のうちの特定の表示手段の表示特性に応じてカラー表示の色調を選んで作成したオンスクリーン表示の画像を出力するオンスクリーン表示回路と、オンスクリーン表示回路が特定の表示手段の表示特性に応じて作成したオンスクリーン表示の画像を特定の表示手段以外の対象となる表示手段の表示特性に応じたカラー表示の色調またはモノクロ表示の階調に変換して対象となる表示手段に出力する変換テーブル手段とを設けた。
これにより、複数の表示装置の各々に適したカラー表示の色調またはモノクロ表示の階調でそれぞれの表示装置に表示を行うことができるので、常に表示されたカーソルの選択位置や文字や記号の識別が容易なオンスクリーン表示装置を実現することができる。
【００２７】
本発明の請求項４の発明は、複数の表示手段はカメラ装置に内蔵のＬＣＤパネルディスプレイとビューファインダであることを特徴とする。
これにより、ＬＣＤパネルディスプレイとビューファインダ複数の一方がカラー表示であり他方がモノクロ表示である場合、あるいは双方の解像度が異なる場合でも、常に表示されたカーソルの選択位置や文字や記号の識別が容易なオンスクリーン表示装置を実現することができる。
【００２８】
本発明の請求項５の発明は、複数の表示手段はカメラ装置に内蔵の表示手段とカメラ装置に接続される外部表示手段であることを特徴とする。
これにより、内蔵のＬＣＤパネルディスプレイと外部に接続されるＣＲＴディスプレイの表示色調や解像度が異なる場合でも、常に表示されたカーソルの選択位置や文字や記号の識別が容易なオンスクリーン表示装置を実現することができる。
【図面の簡単な説明】
【図１】本発明の一実施の形態のオンスクリーン表示装置の回路ブロック図である。
【図２】本発明が適用されるビデオカメラ装置の外観図である。
【図３】本発明の他の実施の形態のオンスクリーン表示装置の回路ブロック図である。
【図４】本発明のさらに他の実施の形態のオンスクリーン表示装置の回路ブロック図である。
【図５】本発明のさらに他の実施の形態のオンスクリーン表示装置の回路ブロック図である。
【符号の説明】
１…マイコン、２…オンスクリーン表示ＩＣ、３…ＬＣＤパネル、４…ビューファインダ、５、５−１、５−２…切り替えスイッチ、６、１０…表示選択スイッチ、７…カラー変換テーブル、８…外部表示装置、９…ライン出力端子。
【図１】
0003918272.tif 000002
【図２】
0003918272.tif 000003
【図３】
0003918272.tif 000004
【図４】
0003918272.tif 000005
【図５】
0003918272.tif 000006